(57)【要約】      （修正有）【課題】分電盤や配電盤、制御盤等の盤面に、複数のカードホルダーを縦方向にブレーカー等に沿わせて、等間隔で且つ一直線状に手際よく貼り付けることができる貼り付け用治具を提供する。【解決手段】ベース３と透明なカバーの間にカードを挟み込んで保持するセパレート型のカードホルダーの整列貼り付け用治具１は、当該カードホルダーと略同じ幅で且つ数倍の長さを有する長尺板状の治具本体１ａを備え、当該治具本体１ａは二本のレール状の縦桟部１ｂと、複数本の横桟部１ｃにより一定間隔毎に枡形の位置決め空間を直列状に形成するとともに、前記ベース３の前面側両端部に設けた溝３ａを当該縦桟部１ｂに着脱自在に嵌合する。【選択図】図５
2008312279.tif 000002
【特許請求の範囲】
【請求項１】
分電盤や配電盤等に組み込んだ複数のブレーカーやスイッチ類の近傍位置の盤面に貼り付けられる前面側両端部に平行な溝（３ａ）を形成した矩形状のベース（３）とこれに着脱自在に被せられる透明なカバー（４）とでブレーカーやスイッチ類の名称を表記したカード（５）を挟み込んで保持するようにした横長のセパレート型のカードホルダー（２）を、分電盤等の盤面に貼り付ける際に用いるカードホルダー（２）の整列貼り付け用治具（１）であって、前記整列貼り付け用治具（１）は、カードホルダー（２）の横幅と同じ幅又は横幅よりも広くてカードホルダー（２）の縦幅の少なくとも数倍の長さを有する長尺板状の治具本体（１ａ）と、治具本体（１ａ）の長辺側の両端部前面に設けられ、カードホルダー（２）のベース（３）の両端部に形成した溝（３ａ）へ夫々着脱自在に嵌合される二本の平行なレール状の縦桟部（１ｂ）と、両縦桟部（１ｂ）間で且つ治具本体（１ａ）の前面に一定間隔毎に設けられ、治具本体（１ａ）の前面にカードホルダー（２）のベース（３）の前面側が着脱自在に嵌め込まれる枡形の位置決め空間（Ｓ）を直列状に形成する複数本の横桟部（１ｃ）とから成り、複数個のカードホルダー（２）の各ベース（３）を、その両端部に形成した溝（３ａ）が縦桟部（１ｂ）に嵌合され且つベース（３）の前面側が枡形の位置決め空間（Ｓ）に嵌合された状態で治具本体（１ａ）の前面側に一定間隔で直列状に保持できる構成としたことを特徴とするカードホルダーの整列貼り付け用治具。
【請求項２】
治具本体（１ａ）に設けた各横桟部（１ｃ）のピッチを分電盤や配電盤等の盤面に縦方向に並べられたブレーカーやスイッチ類のピッチと同一に設定したことを特徴とする請求項１に記載のカードホルダーの整列貼り付け用治具。
【請求項３】
治具本体（１ａ）の外周縁部に外方へ突出する複数個の摘み部（１ｄ）を形成したことを特徴とする請求項１又は請求項２に記載のカードホルダーの整列貼り付け用治具。
【請求項４】
治具本体（１ａ）の長手方向の両端部に、複数の治具本体（１ａ）を直列状に並べたときに隣接する治具本体（１ａ）の端部同士を着脱自在に連結し得る連結手段（１ｅ）を設けたことを特徴とする請求項１、請求項２又は請求項３に記載のカードホルダーの整列貼り付け用治具。
【請求項５】
連結手段（１ｅ）は、治具本体（１ａ）の長手方向の一端部に外方へ突出する姿勢で設けた連結片（１ｅ′）と、治具本体（１ａ）の長手方向の他端部に前記連結片（１ｅ′）と同じ大きさ及び同じ形状に形成された窪み部（１ｅ″）とから成り、複数の治具本体（１ａ）を直列状に並べたときに隣接する一方の治具本体（１ａ）の連結片（１′）と他方の治具本体（１ａ）の窪み部（１ｅ″）とを着脱自在に嵌合できる構成としたことを特徴とする請求項４に記載のカードホルダーの整列貼り付け用治具。
【発明の詳細な説明】
【技術分野】
【０００１】
本発明は、主に分電盤や配電盤、制御盤等に組み込んだ複数のブレーカーやスイッチ類等の名称を表記したカード（記銘紙）を保持するためのカードホルダーを縦に直列状に並べられたブレーカーやスイッチ類等の近傍位置の盤面に貼り付ける際に用いるものであり、特に、前面側両端部に平行な溝を形成した矩形状のベースとこれに着脱自在に被せられる透明なカバーとでブレーカーやスイッチ類の名称を表記したカードを挟み込んで保持するようにした横長のセパレート型のカードホルダーをブレーカー等の近傍位置の盤面に貼り付ける際に、複数個のカードホルダーをブレーカー等の近傍位置の盤面にブレーカー等に沿って等間隔毎で且つ一直線状になるように手際よく貼り付けられるようにしたカードホルダーの整列貼り付け用治具に関するものである。
【背景技術】
【０００２】
一般に、分電盤や配電盤、制御盤等に於いては、複数のブレーカーやスイッチ類等が縦方向に数個又は数十個並んだ状態で組み込まれており、各ブレーカーやスイッチ類の近傍位置の盤面には、ブレーカー（又はスイッチ類）一個について一つのカードホルダーが夫々設置されている。
【０００３】
従来、この種のカードホルダーとしては、例えば実開平５−７４１０５号公報（参考文献１）に開示された横長のセパレート型のカードホルダーが知られている。
即ち、前記カードホルダー２０は、図２１に示す如く、裏面に分電盤等の盤面に貼り付けられる両面テープ２１を貼着した長方形状の本体２２と、本体２２に着脱自在に被せられる透明なカバー２３とから成り、本体２２の前面側にブレーカーやスイッチ類等の名称を表記したカード２４を載せ、この状態で本体２２にカバー２３を被せて本体２２とカバー２３とでカード２４を挟みこんだ状態で保持するようにしたものである。
このカードホルダー２０は、両面テープ２１を用いて分電盤等の盤面に貼り付けるようにしているため、分電盤等の盤面に比較的簡単に設置することができる。又、このカードホルダー２０は、カード２４を載せた本体２２にカバー２３を被せるようにしているため、内部に塵や埃が侵入すると云うことがなく、カード２４が塵や埃によって汚れたり、或いは、カード２４に表記した文字が塵や埃によって不明瞭になったりするのを防止できる利点がある。
【０００４】
しかし、分電盤や配電盤等に於いては、多数のブレーカーやスイッチ類等が組み込まれているため、カードホルダー２０を一個ずつ各ブレーカー等の近傍位置の盤面に取り付けなければならず、カードホルダー２０の取り付けに極めて手間がかかると云う問題があった。
又、分電盤や配電盤等に於いては、ブレーカーやスイッチ類等が縦方向に並んだ状態で組み込まれているため、カードホルダー２０を両面テープ２１により盤面へ貼り付ける際に、縦方向に並べられたブレーカーやスイッチ類に沿って一直線状に貼り付けるのが極めて難しく、縦向きに配列されたカードホルダー２０がでこぼこの状態になって見栄えが悪くなると云う問題があった。
更に、複数のカードホルダー２０を上下の間隔が等間隔になるように分電盤等の盤面に貼り付けるのが難しく、カードホルダー２０が不揃いになって見栄えがより一層悪くなると云う問題があった。
【特許文献１】実開平５−７４１０５号公報
【発明の開示】
【発明が解決しようとする課題】
【０００５】
本発明は、このような問題点に鑑みて為されたものであり、その目的は、横長のセパレート型のカードホルダーを分電盤や配電盤等に組み込まれて縦方向に並べられたブレーカーやスイッチ類等の近傍位置の盤面に貼り付ける際に、複数個のカードホルダーをブレーカー等の近傍位置の盤面にブレーカー等に沿って等間隔毎で且つ一直線状になるように手際よく貼り付けられるようにしたカードホルダーの整列貼り付け用治具を提供することにある。
【課題を解決するための手段】
【０００６】
上記目的を達成するために、本発明の請求項１の発明は、分電盤や配電盤等に組み込んだ複数のブレーカーやスイッチ類の近傍位置の盤面に貼り付けられる前面側両端部に平行な溝を形成した矩形状のベースとこれに着脱自在に被せられる透明なカバーとでブレーカーやスイッチ類の名称を表記したカードを挟み込んで保持するようにした横長のセパレート型のカードホルダーを、分電盤等の盤面に貼り付ける際に用いるカードホルダーの整列貼り付け用治具であって、前記整列貼り付け用治具は、カードホルダーの横幅と同じ幅又は横幅よりも広くてカードホルダーの縦幅の少なくとも数倍の長さを有する長尺板状の治具本体と、治具本体の長辺側の両端部前面に設けられ、カードホルダーのベースの両端部に形成した溝へ夫々着脱自在に嵌合される二本の平行なレール状の縦桟部と、両縦桟部間で且つ治具本体の前面に一定間隔毎に設けられ、治具本体の前面にカードホルダーのベースの前面側が着脱自在に嵌め込まれる枡形の位置決め空間を直列状に形成する複数本の横桟部とから成り、複数個のカードホルダーの各ベースを、その両端部に形成した溝が縦桟に嵌合され且つベースの前面側が枡形の位置決め空間に嵌合された状態で治具本体の前面側に一定間隔で直列状に保持できる構成としたことに特徴がある。
【０００７】
本発明の請求項２の発明は、治具本体に設けた各横桟部のピッチを分電盤や配電盤等の盤面に縦方向に並べられたブレーカーやスイッチ類のピッチと同一に設定したことに特徴がある。
【０００８】
本発明の請求項３の発明は、治具本体の外周縁部に外方へ突出する複数個の摘み部を形成したことに特徴がある。
【０００９】
本発明の請求項４の発明は、治具本体の長手方向の両端部に、複数の治具本体を直列状に並べたときに隣接する治具本体の端部同士を着脱自在に連結し得る連結手段を設けたことに特徴がある。
【００１０】
本発明の請求項５の発明は、連結手段が、治具本体の長手方向の一端部に外方へ突出する姿勢で設けた連結片と、治具本体の長手方向の他端部に前記連結片と同じ大きさ及び同じ形状に形成された窪み部とから成り、複数の治具本体を直列状に並べたときに隣接する一方の治具本体の連結片と他方の治具本体の窪み部とを着脱自在に嵌合できる構成としたことに特徴がある。
【発明の効果】
【００１１】
本発明のカードホルダーの整列貼り付け用治具は、裏面側に剥離紙付きの両面テープを貼り付けたベース及びベースに着脱自在に被せられる透明なカバーから成る横長のセパレート型のカードホルダーの横幅と同じ幅又は横幅よりも広くてカードホルダーの縦幅の少なくとも数倍の長さを有する長尺板状の治具本体と、治具本体の長辺側の両端部前面に設けられ、カードホルダーのベースの前面側両端部に形成した溝へ夫々着脱自在に嵌合される二本の平行なレール状の縦桟部と、両縦桟部間で且つ治具本体の前面に一定間隔毎に設けられ、治具本体の前面にカードホルダーのベースの前面側が着脱自在に嵌め込まれる枡形の位置決め空間を直列状に形成する複数本の横桟部とから成り、複数個のカードホルダーの各ベースを、その前面側両端部に形成した溝が縦桟に嵌合され且つベースの前面側が枡形の位置決め空間に嵌合された状態で治具本体の前面側に一定間隔で直列状に保持するようにしている。
即ち、本発明のカードホルダーの整列貼り付け用治具は、必要な数のカードホルダーの各ベースを両面テープが着いていない面を治具本体の前面側へ向け、この状態で各ベースを治具本体の前面側に一定間隔で直列状に保持させ、各ベースの両面テープの剥離紙を剥がした後、治具本体により各ベースの裏面側を分電盤等の盤面に縦方向に並べられたブレーカー等の近傍位置に沿わして押し付け、治具本体を各ベースから取り外せば、各カードホルダーのベースは両面テープにより目的の場所に整列した状態で貼り付けられる。その後、分電盤等の盤面に貼り付けたベースに透明なカバーを被せてブレーカー等の名称を表記したカードをベースとカバーとで挟み込んで保持することによって、カードホルダーは目的の場所に整列した状態で取り付けられる。
従って、本発明の整列貼り付け用治具を用いれば、複数個のカードホルダーの各ベースを一回の貼り付け作業により分電盤等に組み込んだブレーカーやスイッチ類の近傍位置に貼り付けることができ、カードホルダーの取り付けを迅速に行えて作業能率の大幅な向上を図れる。
又、本発明の整列貼り付け用治具を用いれば、複数個のカードホルダーを分電盤等の盤面に縦方向に並べられたブレーカーやスイッチ類に沿って一直線状に貼り付けることができると共に、各カードホルダーの上下の間隔も等間隔の状態で貼り付けることができ、見栄えが極めて良くなる。
更に、本発明の整列貼り付け用治具は、治具本体にベースの前面側両端部に形成した溝が嵌め込まれる縦桟部を形成すると共に、治具本体の前面にカードホルダーのベースの前面側が着脱自在に嵌め込まれる枡形の位置決め空間を形成しているため、ベースが治具本体に確実且つ良好に保持され、ベースを盤面へ貼り付ける際に治具本体を垂直姿勢や裏向け姿勢にしてもベースが治具本体から脱落すると云うことがない。
そのうえ、本発明の整列貼り付け用治具は、本体の外周縁部に外方へ突出する複数個の摘み部を形成しているため、複数個のカードホルダーの各ベースを盤面に貼り付けた後、治具本体を取り除く際に前記摘み部を摘むことによって、治具本体をベースから簡単且つ容易に取り外すことができる。
加えて、本発明の整列貼り付け用治具は、治具本体の長手方向の両端部に連結手段を設け、複数の治具本体を直列状に並べたときに前記連結手段により隣接する治具本体の端部同士を着脱自在に連結できる構成としているため、例えば、分電盤等の盤面に縦方向に並べられたブレーカーやスイッチ類の数が治具本体に保持されるカードホルダーのベースの数よりも多い場合であっても、複数の治具本体を連結手段により直列状に連結することによって、多数のカードホルダーの各ベースを一回の貼り付け作業で分電盤等に組み込んだブレーカーやスイッチ類の近傍位置に貼り付けることができ、作業能率の大幅な向上を図れる。
【発明を実施するための最良の形態】
【００１２】
以下、本発明の実施形態を図面に基づいて詳細に説明する。
図１乃至図４は本発明の第１の実施形態に係るカードホルダー２の整列貼り付け用治具１を示し、当該整列貼り付け用治具１は、分電盤や配電盤、制御盤等に組み込んだブレーカーやスイッチ類等の名称を表記したカード５（記銘紙）を保持するための横型のセパレート型のカードホルダー２を、縦方向に並べられたブレーカーやスイッチ類等の近傍位置の盤面に取り付ける際に用いるものであり、複数個のカードホルダー２をブレーカー等の近傍位置の盤面にブレーカー等に沿って等間隔毎で且つ一直線状に手際よく取り付けられるようにしたものである。
【００１３】
前記横型のセパレート型のカードホルダー２は、分電盤や配電盤等の盤面の垂直面に両面テープ６により貼り付けられる平板状に形成した矩形のベース３と、ベース３に着脱自在に被せられ、ベース３の前面側を開閉自在に覆う透明材より成る浅い箱状のカバー４とから成り、ベース３とカバー４とでカード５を挟み込んで保持するようにしたものである。
【００１４】
即ち、前記ベース３は、図１０乃至図１２に示す如く、ポリプロピレン等の白色の合成樹脂材により横長板状の長方形状に形成されており、その裏面側には、分電盤や配電盤等の盤面の垂直面に貼り付けられるように剥離紙付きの両面テープ６が貼着されている。
このベース３の前面側両端部には、ベース３の短辺に沿う平行な溝３ａが夫々形成されていると共に、ベース３の二つの溝３ａで挟まれた前面側には、カード５を収容するための浅い収容空間Ｓ′を形成する背の低い枠部３ｂが上方へ突出する状態で連設されている。
又、ベース３の前面側に形成した枠部３ｂの対向する上辺部３ｂ1及び下辺部３ｂ2の中央部内面には、収容空間Ｓ′に収容したカード５の上縁部及び下縁部を夫々係止する広幅に形成された一対の係止爪３ｃが対向状に連設されている。この一対の係止爪３ｃに対向する収容空間Ｓ′の底面の上辺部分及び下辺部分は、一対の係止爪３ｃとの間でカード５の上縁部及び下縁部を夫々挟み込めるように中央部分の深さよりも深くなる彎曲状の傾斜面３ｄに形成されており、カード５の上縁部及び下縁部を一対の係止爪３ｃと一対の傾斜面３ｄとで彎曲状態で挟み込めるようになっている。
更に、ベース３の両端縁部中央部分には、指先が入る程度の切欠３ｅが形成されており、ベース３に被せたカバー４を外す際に指先を切欠３ｅに入れることによって、カバー４を容易に外せるように工夫されている。
【００１５】
一方、前記カバー４は、図１０乃至図１２に示す如く、ＡＳ樹脂等の透明な合成樹脂材により横長の浅い箱状に形成されており、ベース３の収容空間Ｓ′に対向する横長の長方形状に形成された天板部４ａと、天板部４ａの左側縁部及び右側縁部に垂直に連設され、ベース３の前面側両端部に形成した溝３ａに夫々嵌合される左側板部４ｂ及び右側板部４ｃと、天板部４ａの上縁部及び下縁部に垂直に連設され、ベース３の上縁部及び下縁部の外面に夫々被せられる上側板部４ｄ及び下側板部４ｅとを備えている。
【００１６】
尚、この実施形態に於いては、ベース３の長さ（図１１の左右の長さ）は４６ｍｍに、ベース３の幅（図１２の左右の幅）は２２ｍｍに、ベース３の高さ（図１１及び図１２の上下の高さ）は２．８ｍｍに、枠部３ｂの左右の幅（図１１の左右の幅）は４１ｍｍに、枠部３ｂの上下の幅（図１２の左右の幅）は２２ｍｍに、ベース３の前面側両端部に形成した溝３ａの幅は１．５ｍｍに、収容空間Ｓ′の底面中央部分の深さは０．４ｍｍに、一対の係止爪３ｃの幅は９．２ｍｍに、収容空間Ｓ′の底面中央部分と一対の係止爪３ｃとの間隔は０ｍｍに、一対の係止爪３ｃと収容空間Ｓ′の底面の傾斜面３ｄとの間隔は約０．３９ｍｍに夫々設定されている。
又、カバー４の長さ（図１１の左右の長さ）は４６ｍｍに、カバー４の幅（図１２の左右の幅）は２４ｍｍに、カバー４の高さ（図１１及び図１２の上下の高さ）は４．０ｍｍに、左側板部４ｂと右側板部４ｃとの間隔は４１ｍｍに、左側板部４ｂ及び右側板部４ｃの厚みは１．５ｍｍに、上側板部４ｄと下側板部４ｅの間隔は２２ｍｍに夫々設定されている。
【００１７】
そして、本発明の第１の実施形態に係るカードホルダー２の整列貼り付け用治具１は、図１に示す如く、カードホルダー２の横幅（図１１の左右の幅）と同じ幅又は横幅よりも広くてカードホルダー２の縦幅（図１２の左右の幅）の数倍、十数倍又は数十倍の長さを有する長尺板状の治具本体１ａと、治具本体１ａの長辺側の両端部前面に設けられ、カードホルダー２のベース３の前面側両端部に形成した溝３ａへ夫々着脱自在に嵌合される二本の平行なレール状の縦桟部１ｂと、両縦桟部１ｂ間で且つ治具本体１ａの前面に一定間隔毎に設けられ、治具本体１ａの前面にカードホルダー２のベース３の前面側が着脱自在に嵌め込まれる枡形の浅い位置決め空間Ｓを直列状に形成する複数本の横桟部１ｃとから成り、複数個のカードホルダー２の各ベース３を、その前面側両端部に形成した溝３ａが縦桟部１ｂに嵌合され且つベース３の前面側の枠部３ｂが枡形の浅い位置決め空間Ｓに嵌合された状態で治具本体１ａの前面側に一定間隔で直列状に保持できるようにしたものである。
この整列貼り付け用治具１は、合成樹脂材により一体的に形成されている。
【００１８】
具体的には、治具本体１ａは、図１乃至図４に示す如く、ＰＯＭ（ポリアセタール樹脂）等の合成樹脂材によりカードホルダー２の横幅と同じ幅で且つカードホルダー２の縦幅の十数倍の長さの長尺板状に形成されている。この治具本体１ａの四隅の外周縁部には、外方へ突出する板状の四つの摘み部１ｄが一体的に形成されている。
又、二本の平行なレール状の縦桟部１ｂは、治具本体１ａの長辺側の両端部前面に治具本体１ａの長手方向に沿って一体的に突出形成されている。この両縦桟部１ｂの断面形状は、両縦桟部１ｂにカードホルダー２のベース３の前面側両端部に形成した溝３ａが着脱自在に嵌合されるように、カバー４の左側板部４ｂ及び右側板部４ｃ（又はベース３の溝３ａ）の断面形状と略同じ断面形状に形成されている。
更に、複数本の横桟部１ｃは、両縦桟部１ｂ間で且つ治具本体１ａの前面に縦桟部１ｂに直交する姿勢で且つ治具本体１ａの長手方向へ一定間隔毎に突出形成されており、治具本体１ａの前面にカードホルダー２のベース３の前面側の枠部３ｂが着脱自在に嵌め込まれる枡形の浅い位置決め空間Ｓを直列状に形成するものである。これらの各横桟部１ｃのピッチ（間隔）は、分電盤や配電盤等の盤面に縦方向に並べられたブレーカーやスイッチ類のピッチ（間隔）と同一に設定されている。
【００１９】
尚、この実施形態に於いては、治具本体１ａの前面に１３本の横桟部１ｃを一定のピッチ（ブレーカーやスイッチ類のピッチと同一のピッチ）で設け、ベース３の枠部３ｂが着脱自在に嵌め込まれる枡形の浅い位置決め空間Ｓを１２個直列状に形成している。
又、この実施形態に於いては、治具本体１ａの長さ（図２の上下の長さ）は３００ｍｍに、治具本体１ａの幅（図２の左右の幅）は４６ｍｍに、治具本体１ａの厚みは３ｍｍに、縦桟部１ｂ間の間隔は４１ｍｍに、縦桟部１ｂの厚みは１．５ｍｍに、縦桟部１ｂの高さは１．４ｍｍに、隣接する横桟部１ｃ間の間隔は２２．２ｍｍに、横桟部１ｃのピッチは２５ｍｍに、横桟部１ｃの高さは１．０ｍｍに夫々設定されている。
【００２０】
次に、上述した構成のカードホルダー２の整列貼り付け用治具１を用いて、分電盤７に組み込んだブレーカー８の名称を表記したカード５を保持する横長のセパレート型のカードホルダー２を、縦方向に並べられたブレーカー８の近傍位置の盤面９に取り付ける場合について説明する。
【００２１】
先ず、分電盤７に縦方向に並べた状態で組み込んだブレーカー８の数に対応するセパレート型のカードホルダー２を用意し、各カードホルダー２のベース３の両面テープ６が着いていない面（前面）を治具本体１ａの前面側へ向け、各ベース３の前面側両端部に形成した溝３ａが縦桟部１ｂに嵌合し且つ各ベース３の前面側の枠部３ｂが枡形の位置決め空間Ｓに嵌合するように各ベース３を治具本体１ａに押し付ける。これにより、治具本体１ａの前面側には、分電盤７に組み込んだブレーカー８の数に対応する数のベース３が各ブレーカー８のピッチと同じ間隔で直列状に保持される（図５乃至図８参照）。このとき、ベース３の収容空間Ｓ′には、予め各ブレーカー８の名称を表記したカード５が（厚さ０．２ｍｍの白色のケント紙）を収容され、当該カード５の上縁部及び下縁がベース３の一対の係止爪３ｃにより係止されてベース３に保持された格好になっている（図７及び図８に於いては、カード５は省略）。
尚、治具本体１ａに保持された複数個のベース３を分電盤７の盤面９に貼り付ける際に、治具本体１ａを垂直姿勢や裏向けにしても、ベース３の前面側両端部に形成した溝３ａが治具本体１ａの縦桟部１ｂに嵌め込まれていると共に、ベース３の前面側の枠部３ｂが治具本体１ａの前面に形成した枡形の位置決め空間Ｓに嵌め込まれているため、ベース３が治具本体１ａから脱落すると云うことがない。
【００２２】
次に、治具本体１ａに保持された各ベース３の両面テープ６の剥離紙を剥がし、各ベース３の両面テープ６が分電盤７の盤面９に対向する状態で治具本体１ａを分電盤７の盤面９に縦方向に並べられたブレーカー８の近傍位置に沿わせて押し付ける（図９参照）。このとき、縦方向に並べられたブレーカー８と治具本体１ａが平行になるように物差し等の別の治具を用いてブレーカー８と治具本体１ａの間隔を一定に保った状態で治具本体１ａを盤面９側へ押し付ける。又、各ブレーカー８と治具本体１ａに保持された各ベース３とが夫々同じ高さ位置になるように治具本体１ａを盤面９側へ押し付ける。
【００２３】
その後、治具本体１ａを盤面９に貼り付けられた各ベース３から取り外す。これにより、複数個のカードホルダー２のベース３は、分電盤７の盤面９に縦方向に並べられたブレーカー８に沿って一直線状に貼り付けられると共に、上下の間隔も等間隔の状態で貼り付けられる。その結果、各カードホルダー２のベース３は、目的の場所に整列した状態で貼り付けられる。このとき、治具本体１ａの外周縁部に外方へ突出する複数個の摘み部１ｄを形成しているため、治具本体１ａを各ベース３から取り除く際に前記摘み部１ｄを摘むことによって、治具本体１ａを簡単且つ容易に取り外すことができる。
【００２４】
最後に、分電盤７の盤面９に貼り付けられた各ベース３に透明なカバー４を被せてカード５をベース３とカバー４とで挟み込んで保持する。これによって、カードホルダー２は目的の場所に整列した状態で取り付けられる。
【００２５】
このように、前記整列貼り付け用治具１を用いれば、複数個のカードホルダー２の各ベース３を一回の貼り付け作業により分電盤７等に組み込んだブレーカー８やスイッチ類の近傍位置に貼り付けることができ、カードホルダー２の取り付けを迅速に行え、作業能率の大幅な向上を図れる。
又、前記整列貼り付け用治具１を用いれば、複数個のカードホルダー２を分電盤７等の盤面９に縦方向に並べられたブレーカー８やスイッチ類に沿って一直線状に貼り付けることができると共に、各カードホルダー２の上下の間隔も等間隔の状態で貼り付けることができ、見栄えが極めて良くなる。
【００２６】
図１３は本発明の第２の実施形態に係るカードホルダー２の整列貼り付け用治具１を示し、当該整列貼り付け用治具１は、上述した第１の実施形態に係る整列貼り付け用治具１（図１に示すもの）と同様に、分電盤や配電盤、制御盤等に組み込んだブレーカーやスイッチ類等の名称を表記したカード５を保持するための横型のセパレート型のカードホルダー２を、縦方向に並べられたブレーカーやスイッチ類等の近傍位置の盤面に取り付ける際に用いるものであり、複数個のカードホルダー２をブレーカー等の近傍位置の盤面にブレーカー等に沿って等間隔毎で且つ一直線状に手際よく取り付けられるようにしたものである。
特に、この整列貼り付け用治具１は、複数の整列貼り付け用治具１を直列状に着脱自在に連結できる構成としたものであり、分電盤や制御盤等の盤面に縦方向に並べられたブレーカーやスイッチ類の数が整列貼り付け用治具１の治具本体１ａに保持されるカードホルダー２のベース３の数よりも多い場合であっても、複数の整列貼り付け用治具１を直列状に連結することによって、多数のカードホルダー２の各ベース３を一回の貼り付け作業で分電盤等に組み込んだブレーカー等の近傍位置に簡単且つ容易に貼り付けることができるようにしたものである。
【００２７】
即ち、前記整列貼り付け用治具は、図１３に示す如く、カードホルダー２の横幅と同じ幅又は横幅よりも広くてカードホルダー２の縦幅の数倍、十数倍又は数十倍の長さを有する長尺板状の治具本体１ａと、治具本体１ａの長辺側の両端部前面に設けられ、カードホルダー２のベース３の前面側両端部に形成した溝３ａへ夫々着脱自在に嵌合される二本の平行なレール状の縦桟部１ｂと、両縦桟部１ｂ間で且つ治具本体１ａの前面に一定間隔毎に設けられ、治具本体１ａの前面にカードホルダー２のベース３の前面側が着脱自在に嵌め込まれる枡形の浅い位置決め空間Ｓを直列状に形成する複数本の横桟部１ｃと、治具本体１ａの長手方向の両端部に設けられ、複数の治具本体１ａを直列状に並べたときに隣接する治具本体１ａの端部同士を着脱自在に連結し得る連結手段１ｅとから成り、複数個のカードホルダー２の各ベース３を、その前面側両端部に形成した溝３ａが縦桟部１ｂに嵌合され且つベース３の前面側の枠部３ｂが枡形の浅い位置決め空間Ｓに嵌合された状態で治具本体１ａの前面側に一定間隔で直列状に保持できるようにしたものである。
又、この整列貼り付け用治具１は、合成樹脂材により一体的に形成されており、治具本体１ａの両端部に設けた連結手段１ｅによって、直列状に着脱自在に連結できるように構成されている。この整列貼り付け用治具１は、上述したカードホルダー２（図１０に示すもの）とは別の大きさのカードホルダー２のベース３を保持できるようになっている。
【００２８】
具体的には、治具本体１ａは、図１３乃至図１６に示す如く、ＰＯＭ（ポリアセタール樹脂）等の合成樹脂材によりカードホルダー２の横幅と同じ幅で且つカードホルダー２の縦幅の十数倍の長さの長尺板状に形成されている。この治具本体１ａの四隅の外周縁部には、外方へ突出する板状の四つの摘み部１ｄが一体的に形成されている。
又、二本の平行なレール状の縦桟部１ｂは、治具本体１ａの長辺側の両端部前面に治具本体１ａの長手方向に沿って一体的に突出形成されている。この両縦桟部１ｂの断面形状は、両縦桟部１ｂにカードホルダー２のベース３の前面側両端部に形成した溝３ａが着脱自在に嵌合されるように、カバー４の左側板部４ｂ及び右側板部４ｃ（又はベース３の溝３ａ）の断面形状と略同じ断面形状に形成されている。
更に、複数本の横桟部１ｃは、両縦桟部１ｂ間で且つ治具本体１ａの前面に縦桟部１ｂに直交する姿勢で且つ治具本体１ａの長手方向へ一定間隔毎に突出形成されており、治具本体１ａの前面にカードホルダー２のベース３の前面側の枠部３ｂが着脱自在に嵌め込まれる枡形の浅い位置決め空間Ｓを直列状に形成するものである。これらの各横桟部１ｃのピッチ（間隔）は、分電盤や配電盤等の盤面に縦方向に並べられたブレーカーやスイッチ類のピッチ（間隔）と同一に設定されている。又、治具本体１ａの長手方向の両端に位置する横桟部１ｃの幅は、他の横桟部１ｃの幅の半分に設定されている。
【００２９】
そして、連結手段１ｅは、治具本体１ａの長手方向の一端部に外方（治具本体１ａの長手方向）へ突出する姿勢で設けた連結片１ｅ′と、治具本体１ａの長手方向の他端部に前記連結片１ｅ′と同じ大きさ及び同じ形状に形成された窪み部１ｅ″とから成り、複数の治具本体１ａを直列状に並べたときに隣接する一方の治具本体１ａの連結片１ｅ′と他方の治具本体１ａの窪み部１ｅ″とを着脱自在に嵌合できる構成としたものである。
即ち、連結片１ｅ′は、治具本体１ａの長手方向の一端部端面に治具本体１ａの裏面側へ偏倚する姿勢でもって一体的に突出形成されており、半円板状に形成されている。
又、窪み部１ｅ″は、治具本体１ａの長手方向の他端部裏面に形成されており、連結片１ｅ′と同じ大きさ及び同じ形状の半円板状に形成されている。
従って、複数の整列貼り付け用治具１を直列状に並べ、隣接する一方の整列貼り付け用治具１の連結片１ｅ′を他方の整列貼り付け用治具１の窪み部１ｅ″に嵌合したときには、隣接する整列貼り付け用治具１が同一平面上に位置する状態で隣接する整列貼り付け用治具１の端部同士が連結されることになる（図１７参照）。又、隣接する整列貼り付け用治具１の端部同士を連結したときには、治具本体１ａの長手方向の両端に位置する横桟部１ｃの幅が他の横桟部１ｃの幅の半分に設定されているため、直列状に連結された各整列貼り付け用治具１の各枡形の浅い位置決め空間Ｓのピッチが全て同一のピッチとなる。
【００３０】
尚、この実施形態に於いては、治具本体１ａの前面に１１本の横桟部１ｃを一定のピッチ（ブレーカーやスイッチ類のピッチと同一のピッチ）で設け、ベース３の枠部３ｂが着脱自在に嵌め込まれる枡形の浅い位置決め空間Ｓを１０個直列状に形成している。
又、この実施形態に於いては、治具本体１ａの長さ（図１４の上下の長さ）は２５０ｍｍに、治具本体１ａの幅（図１４（Ａ）及び（Ｃ）の左右の幅）は５８ｍｍに、治具本体１ａの厚みは３．５ｍｍに、縦桟部１ｂ間の間隔は５３ｍｍに、縦桟部１ｂの厚みは１．５ｍｍに、縦桟部１ｂの高さは１．５ｍｍに、隣接する横桟部１ｃ間の間隔は１８．２ｍｍに、横桟部１ｃのピッチは２５ｍｍに、横桟部１ｃの高さは１．０ｍｍに、連結片１ｅ′及び窪み部１ｅ″の半径は２０ｍｍに、連結片１ｅ′の厚み及び窪み部１ｅ″の深さは１．５ｍｍに夫々設定されている。
更に、この整列貼り付け用治具１に保持されるカードホルダー２のベース３の長さは５８ｍｍに、ベース３の幅は１８ｍｍに、ベース３の高さは２．８ｍｍに、枠部３ｂの左右の幅は５３ｍｍに、枠部３ｂの上下の幅は１８ｍｍに、ベース３の前面側両端部に形成した溝３ａの幅は１．５ｍｍに、収容空間Ｓ′の底面中央部分の深さは０．４ｍｍに、一対の係止爪３ｃの幅は１６．２ｍｍに、収容空間Ｓ′の底面中央部分と一対の係止爪３ｃとの間隔は０ｍｍに、一対の係止爪３ｃと収容空間Ｓ′の底面の傾斜面３ｄとの間隔は約０．３９ｍｍに夫々設定されている。
又、カバー４の長さは５８ｍｍに、カバー４の幅は２０ｍｍに、カバー４の高さは４．０ｍｍに、左側板部４ｂと右側板部４ｃとの間隔は５３ｍｍに、左側板部４ｂ及び右側板部４ｃの厚みは１．５ｍｍに、上側板部４ｄと下側板部４ｅの間隔は１８ｍｍに夫々設定されている。
【００３１】
前記整列貼り付け用治具１（図１３に示すもの）は、上述した本発明の第１の実施形態に係る整列貼り付け用治具１（図１４に示すもの）と同様の作用効果を奏することができる。
然も、この整列貼り付け用治具１は、治具本体１の長手方向の両端部に連結手段１ｅを設け、複数の治具本体１を直列状に並べたときに前記連結手段１ｅにより隣接する治具本体１の端部同士を着脱自在に連結できる構成としているため、例えば、分電盤等の盤面に縦方向に並べられたブレーカーやスイッチ類の数が治具本体１に保持されるカードホルダー２のベース３の数よりも多い場合であっても、複数の治具本体１を連結手段１ｅにより直列状に連結することによって、多数のカードホルダー２の各ベース３を一回の貼り付け作業で分電盤等に組み込んだブレーカーやスイッチ類の近傍位置に貼り付けることができ、作業能率の大幅な向上を図れる。
【００３２】
尚、上記各実施形態に於いては、整列貼り付け用治具１の治具本体１ａの長さをカードホルダーのベース３の縦幅の十数倍の長さに形成し、治具本体１ａの前面に十数個のベース３を直列状に保持できるようにしたが、他の実施の形態に於いては、治具本体１ａの長さをベース３の縦幅の数倍又は数十倍の長さに形成し、治具本体１ａの前面に数個又は数十個のベース３を直列状に保持できるようにしても良い。
【図面の簡単な説明】
【００３３】
【図１】本発明の第１の実施形態に係るカードホルダーの整列貼り付け用治具の斜視図である。
【図２】整列貼り付け用治具の一部省略拡大正面図である。
【図３】図２のＡ−Ａ線断面図である。
【図４】図２のＢ−Ｂ線断面図である。
【図５】カードホルダーのベースを保持した状態の整列貼り付け用治具の一部省略拡大正面図である。
【図６】カードホルダーのベースを保持した状態の整列貼り付け用治具の一部省略拡大側面図である。
【図７】図５のＣ−Ｃ線断面図である。
【図８】図５のＤ−Ｄ線断面図である。
【図９】整列貼り付け用治具を用いて複数個のカードホルダーのベースを分電盤の盤面へ貼り付ける状態を示す説明図である。
【図１０】セパレート型のカードホルダーの分解斜視図である。
【図１１】図１０に示すカードホルダーの拡大縦断面図である。
【図１２】図１１のＥ−Ｅ線断面図である。
【図１３】本発明の第２の実施形態に係るカードホルダーの整列貼り付け用治具の斜視図である。
【図１４】図１３に示す整列貼り付け用治具を示し、（Ａ）は整列貼り付け用治具の正面図、（Ｂ）は整列貼り付け用治具の側面図、（Ｃ）は整列貼り付け用治具の背面図である。
【図１５】図１３に示す整列貼り付け用治具の縦断面図である。
【図１６】図１３に示す整列貼り付け用治具の横断面図である。
【図１７】図１３に示す整列貼り付け用治具を直列状に連結した状態の正面図である。
【図１８】図１３に示す整列貼り付け用治具を直列状に連結し、各整列貼り付け用治具にカードホルダーのベースを保持させた状態の整列貼り付け用治具の一部省略正面図である。
【図１９】図１８に示す整列貼り付け用治具の縦断面図である。
【図２０】図１８に示す整列貼り付け用治具の横断面図である。
【図２１】従来のセパレート型のカードホルダーの分解斜視図である。
【符号の説明】
【００３４】
１はカードホルダーの整列貼り付け用治具、１ａは治具本体、１ｂは縦桟部、１ｃは横桟部、１ｄは摘み部、１ｅは連結手段、１ｅ′は連結片、１ｅ″は窪み部、１２はカードホルダー、３はベース、３ａはベースの溝、４はカバー、５はカード。
【図１】
2008312279.tif 000003
【図２】
2008312279.tif 000004
【図３】
2008312279.tif 000005
【図４】
2008312279.tif 000006
【図５】
2008312279.tif 000007
【図６】
2008312279.tif 000008
【図７】
2008312279.tif 000009
【図８】
2008312279.tif 000010
【図９】
2008312279.tif 000011
【図１０】
2008312279.tif 000012
【図１１】
2008312279.tif 000013
【図１２】
2008312279.tif 000014
【図１３】
2008312279.tif 000015
【図１４】
2008312279.tif 000016
【図１５】
2008312279.tif 000017
【図１６】
2008312279.tif 000018
【図１７】
2008312279.tif 000019
【図１８】
2008312279.tif 000020
【図１９】
2008312279.tif 000021
【図２０】
2008312279.tif 000022
【図２１】
2008312279.tif 000023